(57)【特許請求の範囲】
【請求項１】
インナー手袋と金属シート層とアウター手袋を含む耐熱手袋であって、
前記インナー手袋の少なくとも掌部及び掌側指部の表面には前記金属シート層が存在し、前記金属シート層はアルミ箔又はアルミシートの金属シート片が複数枚うろこ状に積層され、部分的に重なるように接着剤で固定された層であり、
前記インナー手袋の掌裏部及び指裏部には前記金属シート層は無く、
前記インナー手袋及び前記金属シート層の外側にアウター手袋が存在し、
前記アウター手袋は耐熱繊維糸で構成された編み物の手袋であり、
前記金属シート層とアウター手袋との間に、さらに耐熱繊維のわた層が存在し、前記耐熱繊維のわた層は掌裏部及び指裏部には無く、
前記アウター手袋からインナー手袋まで耐熱性縫製糸により一体的に固定されており、
前記耐熱手袋は５本指手袋であることを特徴とする耐熱手袋。
【請求項２】
前記金属シート片は三角形状である請求項１に記載の耐熱手袋。
【請求項３】
前記アウター手袋及びわた層を構成する繊維は、アラミド繊維、液晶ポリエステル繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維及びガラス繊維から選ばれる少なくとも一つの耐熱性繊維である請求項１又は２に記載の耐熱手袋。
【請求項４】
前記インナー手袋はコットン糸の編物で構成されている請求項１〜３のいずれかに記載の耐熱手袋。
【請求項５】
前記アウター手袋の表面にはシリコーンゴムがドット状に配置されている請求項１〜４のいずれかに記載の耐熱手袋。
【請求項６】
前記アウター手袋の表面には皮革が部分的又は全面に配置されている請求項１〜５のいずれかに記載の耐熱手袋。
【発明の詳細な説明】
【技術分野】
【０００１】
本発明は、耐熱性及び高温ガス遮断性等の熱特性の高い耐熱手袋に関する。
【背景技術】
【０００２】
アーク溶接などの溶接作業、溶鉱炉などの炉前作業、加熱調理などの高熱物体を扱う作業には、安全面から耐熱手袋が必要である。熱的に過酷な作業における耐熱手袋の材料は、一般的に動物の皮を使用している。また、消防用手袋等も耐熱性を要求される。本発明者らは耐熱性繊維を含む意匠撚糸を手袋とし、空気により断熱することを提案した（特許文献１）。特許文献２には掌及び掌側指部に発泡体からなる断熱層を設けることが提案されている。特許文献３には耐熱性繊維糸からなる３層構造の布帛で手袋を構成し、表面に無機繊維又は金属繊維のフェルトを配置して滑り止めとすることが提案されている。
【先行技術文献】
【特許文献】
【０００３】
【特許文献１】特開２００７−０２３４６３号公報
【特許文献２】特開２００８−１６３５３４号公報
【特許文献３】特開２００４−３０８０１８号公報
【発明の開示】
【発明が解決しようとする課題】
【０００４】
しかし、従来の耐熱手袋は蒸気等の高温ガスが透過しやすく、耐熱性及び蒸気遮断性等の熱特性に問題があった。
【０００５】
本発明は、前記従来の問題を解決するため、耐熱性及び高温ガス遮断性等の熱特性の高い耐熱手袋を提供する。
【課題を解決するための手段】
【０００６】
本発明の耐熱手袋は、インナー手袋と金属シート層とアウター手袋を含む耐熱手袋であって、前記インナー手袋の少なくとも掌部及び掌側指部の表面には前記金属シート層が存在し、前記金属シート層はアルミ箔又はアルミシートの金属シート片が複数枚うろこ状に積層され、部分的に重なるように接着剤で固定された層であり、前記インナー手袋の掌裏部及び指裏部には前記金属シート層は無く、前記インナー手袋及び前記金属シート層の外側にアウター手袋が存在し、前記アウター手袋は耐熱繊維糸で構成された編み物の手袋であり、前記金属シート層とアウター手袋との間に、さらに耐熱繊維のわた層が存在し、前記耐熱繊維のわた層は掌裏部及び指裏部には無く、前記アウター手袋からインナー手袋まで耐熱性縫製糸により一体的に固定されており、前記耐熱手袋は５本指手袋であることを特徴とする。
【発明の効果】
【０００７】
本発明の耐熱手袋は、金属シート層による高温ガスの遮断効果及び熱反射効果と、インナー手袋及びアウター手袋による断熱効果により、耐熱性及び高温ガス遮断性等の熱特性は大幅に向上する。また、アウター手袋からインナー手袋まで耐熱性縫製糸により一体的に固定されていることにより、作業性も良好で、洗濯することもできる。金属シート層とアウター手袋との間に、さらに耐熱繊維のわた層を存在させキルティングで固定した耐熱手袋は、さらに高い断熱効果を発揮する。
【図面の簡単な説明】
【０００８】
【図１】図１は本発明の一実施形態における耐熱手袋の指部の模式的断面図である。
【図２】図２は同、掌部の模式的断面図である。
【図３】図３は本発明の別の実施形態における耐熱手袋の指部の模式的断面図である。
【図４】図４は同、掌部の模式的断面図である。
【図５】図５は同、インナー手袋の表面に金属シート層を部分的に貼り付けた模式的説明図である。
【図６】図６は同、金属シート層の表面に耐熱繊維のわた層を部分的に積層した模式的説明図である。
【図７】図７は同、耐熱手袋の模式的正面図である。
【発明を実施するための形態】
【０００９】
本発明は、インナー手袋と金属シート層と耐熱繊維糸で構成されるアウター手袋を含む耐熱手袋である。インナー手袋の少なくとも掌部及び掌側指部の表面には金属シート層が貼り付けられている。掌部及び掌側指部は高温の物体を把持する部分であり、少なくともこの部分に金属シート層を貼り付ければ高温ガスの遮断効果及び熱反射効果は得られる。
【００１０】
金属シート層の上にアウター手袋が積層され、かつアウター手袋からインナー手袋まで耐熱性縫製糸により一体的に固定されている。アウター手袋は耐熱繊維で構成された手袋であることから、耐熱性が高く断熱効果も高い。また全層が一体的に耐熱性縫製糸により固定されていることにより、各手袋や金属シート層がずれることが無く、作業性は良く、繰り返し洗濯できる。耐熱性縫製糸による固定はキルティング加工が好ましい。耐熱性縫製糸は例えばパラ系アラミド繊維糸を使用する。
【００１１】
金属シート層は複数枚の金属シート片がうろこ状に積層され、金属シート片同士は接着剤により固定されていることが好ましい。金属シート片を魚のうろこ状に積層すると、指などが複雑に動いても隙間ができず、破れることもなく、作業性も良好である。また金属シート片を魚のうろこ状に積層すると、熱を遮断する障壁にもなる。金属シートは２〜３枚が部分的に重なるように貼り付けるのが好ましい。金属シート片は任意の形状とすることができる。好ましくは三角形状である。例えば１辺が１〜５ｃｍ程度の正三角形とする。これを多数枚貼り合わせて魚のうろこ状に積層する。
【００１２】
金属シートは例えばアルミ箔又はアルミシートがある。１枚の厚さは０．１〜０．５ｍｍが好ましく、さらに好ましくは０．２〜０．４ｍｍである。金属シートの種類、厚み及び積層枚数等は要求される耐熱性により好適なものを選択できる。接着剤はイソシアネート系、アクリル系、エポキシ系、ゴム系等いかなる接着剤でもよい。好ましくは塗布後空気中の水分（湿気）により硬化する無溶剤の接着剤、例えばセメダイン社製、商品名“スーパーＸ”がある。この接着剤の耐熱性は１２０〜１５０℃であり、加熱によりゴム状の粘性体になる。
【００１３】
金属シート層の外側には耐熱繊維のわた層が積層され、インナー手袋と金属シート層と耐熱繊維のわた層は耐熱性縫製糸により固定されているのが好ましい。耐熱繊維のわた層はさらに高い断熱効果を発揮する。わた層の厚さは縫製された状態で１〜６ｍｍが好ましく、さらに好ましくは２〜５ｍｍである。前記わた層の繊維の種類、厚み及び積層枚数等は要求される耐熱性により好適なものを選択できる。耐熱繊維のわた層はインナー手袋と金属シート層に耐熱性縫製糸により固定されていることにより、後にアウター手袋を被せても変形や移動等は起こらない。前記縫製糸による固定はキルティング加工が好ましい。前記縫製糸は例えばパラ系アラミド繊維糸を使用する。この縫製は仮縫い程度の軽い縫製であっても良い。
【００１４】
アウター手袋の構成繊維糸及び耐熱繊維のわた層の構成繊維は、アラミド繊維、液晶ポリエステル繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維及びガラス繊維から選ばれる少なくとも一つであるのが好ましい。これらの繊維はスーパー繊維とも呼ばれ、融点又は分解点が約３５０℃以上、好ましくは４００℃以上である。例えばアラミド繊維（パラ系アラミドの融点又は分解点：４８０〜５７０℃、メタ系同：４００〜４３０℃）、ポリベンズイミダゾール繊維（ガラス転移温度：４００℃以上）、ポリベンズオキサゾール繊維（融点又は分解温度：６５０℃）、ポリベンズチアゾール繊維（融点又は分解温度：６５０℃）、ポリアミドイミド繊維（融点又は分解温度：３５０℃以上）、メラミン繊維（融点又は分解温度：４００℃以上）、ポリイミド繊維（融点又は分解温度：３５０℃以上）、ポリアリレート繊維（融点又は分解温度：４００℃以上）である。ガラス繊維は更に高温まで耐えられる。
【００１５】
アウター手袋は前記耐熱繊維を使用した糸を手袋に編成することにより得られる。前記耐熱繊維糸は、例えばパラ系アラミド繊維糸とメタ系アラミド繊維糸との交撚糸、パラ系アラミド繊維糸を芯糸としメタ系アラミド繊維糸を鞘糸としたカバードヤーン（ＣＳＹ）、ガラス繊維糸と液晶ポリエステル繊維糸との交撚糸、ガラス繊維糸を芯とし液晶ポリエステル繊維糸を鞘糸としたカバードヤーン（ＣＳＹ）等を使用できる。交撚糸又はＣＳＹの繊度は１１８〜１１８１１ｄｔｅｘ（綿番手：０．５〜５０番）程度が好ましい。液晶ポリエステル繊維糸は例えばＫＢセーレン社製、商品名“ゼクシオン”がある。アウター手袋の裏糸は、手袋を加熱して収縮させることでニット目を塞ぎ、熱遮断性をさらに上げることもできる。
【００１６】
インナー手袋は、コットン糸の編物で編成された手袋が好ましい。コットン手袋は汗を吸収し、着用感も良好である。薄手のコットン手袋が好ましい。
【００１７】
アウター手袋の表面にはシリコーンゴムがドット状に配置されているのが好ましい。ドット状のシリコーンゴムは、把持する物体が滑りにくいという効果以外にも、熱い物体からの熱伝導を遅らせる効果もある。ドット状のシリコーンゴムは３９０℃まで耐えられる耐熱シリコーンゴム製が好ましい。このドット状のシリコーンゴムは直径１〜５ｍｍ、高さ０．５〜５ｍｍのものが好ましい。
【００１８】
アウター手袋の表面には皮革が部分的又は全面に配置されていても良い。皮革は高熱物体と接触する部分に貼り付けられているのが好ましい。皮革を配置したアウター手袋は皮革の部分を外してインナー手袋とキルティングし一体化するのが好ましい。耐熱繊維糸で作られたアウター手袋の表面に皮革が部分的に貼り合わされている手袋は、消防用手袋などに有用である。
【００１９】
本発明の耐熱手袋は薄く、手指にフィットし、加熱物体を把持してもゴワゴワ感が無く、耐熱性も良好であり、作業性も良好である。この手袋をはめてボールペンで文字が書けるほどである。蒸気を扱う作業、例えば蒸し器や過熱蒸気を使用して加熱調理する作業手袋として使用する場合、蒸気は遮断でき、高温物体を把持する作業が効率よくできる。パン焼き、ピザ焼き等の加熱調理用手袋としても有用である。また、陶器や磁器等の焼き物を扱う作業においても、熱風を遮断でき、高温物体を把持する作業が効率よくできる。さらに、アーク溶接などの溶接作業、溶鉱炉などの炉前作業などの高熱物体を扱う作業に使用する耐熱手袋、自動車エンジンなどの高熱物体を扱う作業手袋、消防用手袋などにも有用である。
【００２０】
以下図面を用いて説明する。以下の図面中、同一符号は同一物体または部品を示す。図１は本発明の一実施形態における耐熱手袋の指部の模式的断面図、図２は同、掌部の模式的断面図である。第１の実施形態の耐熱手袋１０は、内側からインナー手袋１と金属シート層２とアウター手袋４で構成されている。インナー手袋１の少なくとも掌部及び掌側指部の表面には金属シート層２が魚のうろこ状態で積層されている。金属シート層２の外側にはアウター手袋４が積層され、かつインナー手袋１からアウター手袋４まで耐熱性縫製糸７によって一体的に固定されている。アウター手袋４の表面には耐熱性シリコーンゴムのドット状突起５がある。矢印８，９の向きは掌側を示し、１２は指、１３は掌を示す。
【００２１】
図３は本発明の第２の実施形態における耐熱手袋の指部の模式的断面図、図４は同、掌部の模式的断面図である。第２の実施形態の耐熱手袋１１は、内側からインナー手袋１と金属シート層２と耐熱繊維のわた層３と耐熱繊維糸で編成されるアウター手袋４で構成されている。インナー手袋１の少なくとも掌部及び掌側指部の表面には金属シート層２が魚のうろこ状態で積層されている。金属シート層２の外側には耐熱繊維のわた層３が積層され、かつインナー手袋１と金属シート層２と耐熱繊維のわた層３は耐熱性縫製糸６により固定されている。また、耐熱繊維のわた層３の上にアウター手袋４が積層され、かつインナー手袋１からアウター手袋４まで耐熱性縫製糸７によって一体的に固定されている。アウター手袋４の表面には耐熱性シリコーンゴムのドット状突起５がある。
【００２２】
図５は第１及び第２の実施形態に共通であり、インナー手袋１の表面に金属シート層２を、親指の部分に部分的に貼り付けた模式的説明図である。金属シートとして厚み０．３ｍｍのアルミシートを１辺が１ｃｍの正三角形とし、接着剤を使用して魚のうろこ状態に貼り付けた状態を示している。このようにして金属シート２を掌部及び掌側指部の表面に貼り付ける。
【００２３】
図６は第２の実施形態の工程説明図であり、金属シート層の表面に耐熱繊維のわた層３を部分的に積層した模式的説明図である。耐熱繊維としてパラ系アラミド繊維のわた層３を３〜５ｍｍの厚さで積層した部分的な状態を示している。このようにしてパラ系アラミド繊維のわた層３を金属シート層２の上に積層し、この上からパラ系アラミド繊維糸（縫製糸）によりキルティングする。
【００２４】
図７は第１及び第２の実施形態に共通であり、耐熱手袋の模式的正面図である。外観に現れるのはアウター手袋４である。アウター手袋４の表面には耐熱性シリコーンゴムのドット状突起５がある。
【実施例】
【００２５】
以下実施例を用いてさらに本発明を具体的に説明する。なお、本発明は下記の実施例に限定して解釈されない。
【００２６】
（実施例１、参考例）
（１）インナー手袋
インナー手袋として、コットン製紡績糸（綿番手１６番）を使用し、手袋編み機により編製した。重量は、Ｍサイズで１枚１０ｇであった。
（２）金属シート層
インナー手袋の掌部及び掌側指部の表面に金属シート層を貼り付けた。金属シート層は厚さ０．３ｍｍのアルミシートとし、１辺が１ｃｍ程度の正三角形に切り取り、セメダイン社製、商品名“スーパーＸ”接着剤を塗布して部分的に２〜３重になるように接着した。
（３）アウター手袋
金属シート層の上からアウター手袋を被せ、パラ系アラミド繊維糸を使用してキルティングした。アウター手袋を構成する繊維糸は、パラ系アラミド繊維糸（繊度：１３００ｄｔｅｘ）を芯糸とし、メタ系アラミド繊維糸（繊度：１３００ｄｔｅｘ）を鞘糸としたカバードヤーン（ＣＳＹ）とした。また、アウター手袋には図５に示すように耐熱シリコーンゴム製のドット状突起を形成しておいた。
【００２７】
以上のようにして得られた耐熱手袋の重量は、Ｍサイズで１枚７６ｇであった。また、この耐熱手袋を使用して着用試験をした。その結果、本実施例の耐熱手袋は薄く、手指にフィットし、加熱物体を把持してもゴワゴワ感が無く、耐熱性も良好であり、作業性も良好に保てた。例えば、温度２０℃の雰囲気で３００℃の加熱物体を把持したとき、１分間後の手の中の上昇温度は１２℃程度であった。また、蒸気を扱う作業、例えば蒸し器を使用して加熱調理する作業手袋として使用すると、蒸気は遮断でき、高温物体を把持する作業が効率よくできた。さらに陶器や磁器等の焼き物を扱う作業においても、熱風を遮断でき、高温物体を把持する作業が効率よくできた。さらに、アーク溶接などの溶接作業、溶鉱炉などの炉前作業などの高熱物体を扱う作業に使用する耐熱手袋、消防用手袋としても有用であった。
【００２８】
（実施例２）
（１）インナー手袋
インナー手袋として、コットン製紡績糸（綿番手１６番）を使用し、手袋編み機により編製した。重量は、Ｍサイズで１枚１０ｇであった。
（２）金属シート層
インナー手袋の掌部及び掌側指部の表面に金属シート層を貼り付けた。金属シート層は厚さ０．３ｍｍのアルミシートとし、１辺が１ｃｍ程度の正三角形に切り取り、セメダイン社製、商品名“スーパーＸ”接着剤を使用して部分的に２〜３重になるように接着した。
（３）耐熱繊維のわた層
金属シート層の上に厚さ３〜５ｍｍのパラ系アラミド繊維わたを積層し、パラ系アラミド繊維糸を使用してキルティングした。
（４）アウター手袋
耐熱繊維のわた層の上からアウター手袋を被せ、パラ系アラミド繊維糸を使用してキルティングした。アウター手袋を構成する繊維糸は、パラ系アラミド繊維糸（繊度：１３００ｄｔｅｘ）を芯糸とし、メタ系アラミド繊維糸（繊度：１３００ｄｔｅｘ）を鞘糸としたカバードヤーン（ＣＳＹ）とした。また、アウター手袋には図５に示すように耐熱シリコーンゴム製のドット状突起を形成しておいた。
【００２９】
以上のようにして得られた耐熱手袋の重量は、Ｍサイズで１枚７６ｇであった。また、この耐熱手袋を使用して着用試験をした。その結果、本実施例の耐熱手袋は実施例１の耐熱手袋に比べて厚かったが、手指にフィットし、加熱物体を把持してもゴワゴワ感が無く、耐熱性も良好であり、作業性も良好に保てた。例えば、温度２０℃の雰囲気で３００℃の加熱物体を把持したとき、１分間後の手の中の上昇温度は１０℃程度であった。また、蒸気を扱う作業、例えば蒸し器を使用して加熱調理する作業手袋として使用すると、蒸気は遮断でき、高温物体を把持する作業が効率よくできた。さらに陶器や磁器等の焼き物を扱う作業においても、熱風を遮断でき、高温物体を把持する作業が効率よくできた。さらに、アーク溶接などの溶接作業、溶鉱炉などの炉前作業などの高熱物体を扱う作業に使用する耐熱手袋、消防用手袋としても有用であった。
【００３０】
（実施例３）
（１）インナー手袋
インナー手袋として、コットン製紡績糸（綿番手１６番）を使用し、手袋編み機により編製した。重量は、Ｍサイズで１枚１０ｇであった。
（２）金属シート層
インナー手袋の掌部及び掌側指部の表面に金属シート層を貼り付けた。金属シート層は厚さ０．３ｍｍのアルミシートとし、１辺が１ｃｍ程度の正三角形に切り取り、セメダイン社製、商品名“スーパーＸ”接着剤を使用して部分的に２〜３重になるように接着した。
（３）耐熱繊維のわた層
金属シート層の上に厚さ３〜５ｍｍのパラ系アラミド繊維わたを積層し、パラ系アラミド繊維糸を使用してキルティングした。
（４）アウター手袋
耐熱繊維のわた層の上からアウター手袋を被せ、パラ系アラミド繊維糸を使用してキルティングした。アウター手袋を構成する繊維糸は、ガラス繊維糸（繊度：１６００ｄｔｅｘ）を芯糸とし、液晶ポリエステル繊維糸（ＫＢセーレン社製、商品名“ゼクシオン”：繊度：１６００ｄｔｅｘ）を鞘糸としたカバードヤーン（ＣＳＹ）とした。また、アウター手袋には図５に示すように耐熱シリコーンゴム製のドット状突起を形成しておいた。
【００３１】
以上のようにして得られた耐熱手袋の重量は、Ｍサイズで１枚９６ｇであった。この耐熱手袋を使用した着用試験では実施例２とほぼ同様の試験結果が得られた。
【産業上の利用可能性】
【００３２】
本発明の耐熱手袋は、蒸気を扱う作業、例えば蒸し器や過熱蒸気を使用して加熱調理する作業手袋、あるいはパン焼き、ピザ焼き等の加熱調理用手袋として有用である。また、陶器や磁器等の焼き物を扱う作業手袋としても有用である。さらに、アーク溶接などの溶接作業、溶鉱炉などの炉前作業などの高熱物体を扱う作業に使用する耐熱手袋、自動車エンジンなどの高熱物体を扱う作業手袋、消防用手袋などにも有用である。
【符号の説明】
【００３３】
１  インナー手袋
２  金属シート層
３  耐熱繊維わた層
４  アウター手袋
５  ドット状突起
６，７  縫製糸
８，９  掌側
１０，１１  耐熱手袋
１２  指
１３  掌
【図１】
0006515391.tif 000002
【図２】
0006515391.tif 000003
【図３】
0006515391.tif 000004
【図４】
0006515391.tif 000005
【図５】
0006515391.tif 000006
【図６】
0006515391.tif 000007
【図７】
0006515391.tif 000008